(57)【要約】【課題】  本発明は、高炉毎に設置してなる送風機から熱風炉を介してそれぞれの高炉に高炉送風を行うに際しての熱風炉充圧方法および装置に関する。【解決手段】  前記送風機の少なくとも１つの送風機から送風する空気を分岐して昇圧し、昇圧した空気をレシーバに貯留しておく工程と、前記熱風炉の充圧時に、前記レシーバに貯留した空気を一時的に前記送風機からの送風に合流させて供給する工程と、を有してなり、前記送風機の送風能力を最小化する。【選択図】      図１
2005179713.tif 000002
【特許請求の範囲】
【請求項１】
高炉毎に設置してなる送風機から熱風炉を介してそれぞれの高炉に高炉送風を行うに際しての熱風炉充圧方法であって、
前記送風機の少なくとも１つの送風機から送風する空気を分岐して昇圧し、昇圧した空気をレシーバに貯留しておく工程と、
前記熱風炉の充圧時に、前記レシーバに貯留した空気を一時的に前記送風機からの送風に合流させて供給する工程と、
を有してなり、
前記送風機の送風能力を最小化したことを特徴とする高炉送風における熱風炉充圧方法。
【請求項２】
複数の高炉と、
該高炉毎に設置してなる熱風炉と、
該高炉毎に設置してなり、該熱風炉を介して高炉送風を行う送風機と、
前記送風機の少なくとも１つの送風機から送風する空気を分岐して取り込み、昇圧を行う昇圧機と、
該昇圧機で昇圧した空気を貯留しておくレシーバと、
該レシーバからの空気を前記送風機からの送風に選択的に合流させるために自在に開閉可能としてなる充圧用弁と、
を具備してなり、
前記熱風炉の充圧時に、前記レシーバに貯留した空気を一時的に前記送風機からの送風に合流させることで前記送風機の送風能力を最小化したことを特徴とする高炉送風における熱風炉充圧装置。
【発明の詳細な説明】
【技術分野】
【０００１】
本発明は、製鉄所における高炉操業に関し、特に、高炉送風における熱風炉充圧方法および装置に関する。
【背景技術】
【０００２】
製鉄所において、複数の高炉、例えば、図３に示すように１高炉から３高炉の３基の高炉１〜３による操業を行うに際しては、各高炉１〜３のそれぞれに熱風炉1a〜3aを併設するとともに、当該熱風炉1a〜3aそれぞれに対応して個別に送風を行う1号から３号の送風機11〜13を設置する。
【０００３】
高炉１〜３に熱風を供給する熱風炉1a〜3aは、燃焼と送風を交互に繰り返して操業され、この熱風から燃焼に切り替える際には、一時的に熱風炉への多量の送風が必要とされる。この一時的な多量の送風を、熱風炉への充圧とよぶ。
【０００４】
熱風炉に空気を送風する送風機は、この充圧時に必要となる充圧用風量を考慮し、送風能力を決定する必要があった。
【０００５】
そのため、送風機の送風能力は、図４に示すように、定常的な高炉送風量に加えて、一時的に必要な熱風炉充圧送風量を見込んでなるトータルの送風量を送風機必要送風量として決定する必要があった。高炉操業において、この送風機必要送風量は、定常的に必要な高炉送風量の例えば1.2倍程度とすることが必要とされる。
【０００６】
特許文献１では、この送風機必要送風量を抑えるため、送風機に空気圧縮機と圧縮空気ホルダを併設し、熱風炉の充圧（特許文献１では、充風）時に、圧縮空気ホルダからの圧縮空気を合流させるようにした熱風炉充風装置が開示されている。
【特許文献１】特開昭50-1004号公報
【発明の開示】
【発明が解決しようとする課題】
【０００７】
従来は、一時的に必要となるだけの熱風炉充圧を見込んで各高炉の送風機の仕様を決定することから、その送風能力を大きくする必要があり、初期設備投資が大きくなるという問題があった。
【０００８】
また、特許文献１に示されるように、各高炉の送風機にそれぞれ空気圧縮機と圧縮空気ホルダを併設することも、同様に初期設備投資が大きくなることが問題である。
【０００９】
本発明の高炉送風における熱風炉充圧方法および装置は、初期設備投資をできるだけ小さくして低コストを実現し、かつ、設備能力を最大限に有効活用することを可能とするものである。
【課題を解決するための手段】
【００１０】
本発明は、余力のある1つの送風機から空気を分岐して取り出し、共通設備の昇圧機で昇圧し、同様に共通設備であるレシーバに貯留しておき、必要に応じて各高炉に付設の熱風炉の充圧時に供給するようにして、熱風炉充圧設備の能力を最大限に有効活用することを可能とした。
【００１１】
すなわち、本発明は、高炉毎に設置してなる送風機から熱風炉を介してそれぞれの高炉に高炉送風を行うに際しての熱風炉充圧方法であって、前記送風機の少なくとも１つの送風機から送風する空気を分岐して昇圧し、昇圧した空気をレシーバに貯留しておく工程と、前記熱風炉の充圧時に、前記レシーバに貯留した空気を一時的に前記送風機からの送風に合流させて供給する工程と、を有してなり、前記送風機の送風能力を最小化したことを特徴とする高炉送風における熱風炉充圧方法によって上記課題を解決した。
【００１２】
また、本発明は、複数の高炉と、該高炉毎に設置してなる熱風炉と、該高炉毎に設置してなり、該熱風炉を介して高炉送風を行う送風機と、前記送風機の少なくとも１つの送風機から送風する空気を分岐して取り込み、昇圧を行う昇圧機と、該昇圧機で昇圧した空気を貯留しておくレシーバと、該レシーバからの空気を前記送風機からの送風に選択的に合流させるために自在に開閉可能としてなる充圧用弁と、を具備してなり、前記熱風炉の充圧時に、前記レシーバに貯留した空気を一時的に前記送風機からの送風に合流させることで前記送風機の送風能力を最小化したことを特徴とする高炉送風における熱風炉充圧装置によって上記課題を解決した。
【発明の効果】
【００１３】
本発明によって、従来は熱風炉の充圧時以外は有効に活用されることのなかった送風機の送風能力を常時100％活用できるようにし、送風機の送風能力を最小化することを可能とすることで、設備投資の抑制を達成することができた。
【００１４】
また、本発明によって、送風機の送風能力をそのままとした場合においても、昇圧機とレシーバを共通設備として設置するだけで、最低限のコストで既存設備の熱風炉充圧能力の増強を図ることも可能である。
【発明を実施するための最良の形態】
【００１５】
図１に基づき、３基の高炉で操業を行う場合を例示して、本発明の高炉送風における熱風炉充圧装置の具体的な構成について説明する。
【００１６】
なお、従来の高炉とその送風機の配置例として図３において既に説明した同一の設備には同一の番号を付し、ここでの説明を省略する。
【００１７】
本発明を実施するための最良の形態では、１号送風機11と２号送風機12の送風能力を各高炉で定常的に必要とする送風量に見合った風量とし、熱風炉の充圧時に必要とする風量を見込まないようにすることを特徴とする。
【００１８】
次に、３号送風機13からの送風を分岐し、分岐した空気を昇圧機５で昇圧し、その昇圧した空気をレシーバ６に貯留する。この昇圧機５とレシーバ６は、各高炉１〜３の共通設備として設置し、充圧用弁７〜９を介して各送風機11〜13からの送風に合流可能としておく。そして、各熱風炉1a〜3aの充圧時にレシーバ６から所要量の空気を供給して送風機11〜13の送風に合流させ、充圧時に必要な送風量を確保できるようにする。
【００１９】
ここで、本発明では、３号送風機13の能力を、分岐した空気を昇圧機５で昇圧してレシーバ６に貯留することができる程度の余力をもたせたものとしておく。ただし、この昇圧と貯留は、レシーバ６の貯留能力が一杯となるまで継続して定常的に行うことができ、一時的な貯留を要しないことから余り大きな余力を必要とはしない。
【００２０】
図２のグラフは、横軸に時間をとり、縦軸に、１号から３号の送風機の風量（図２（ａ）〜（ｃ））、および、レシーバの空気圧（図２（ｄ））をとって示している。
【００２１】
図２の（ａ）〜（ｃ）では、各送風機が、対応する各高炉で定常的に必要とする送風量の空気を安定的に供給している様子を示している。また、（ｃ）では、レシーバ貯留風量分の風量が上乗せされることを斜線で示している。
【００２２】
ここで、＊１の点線部は、従来法で充圧時に必要となるはずの風量を示しており、本発明では、レシーバから供給するために不要である。
【００２３】
図２の（ｄ）では、熱風炉充圧時の送風に必要な最低空気圧以上の空気圧となる空気がレシーバに貯留されている様子を示しており、１高炉での充圧時（＊２と＊５）、２高炉での充圧時（＊３）、３高炉での充圧時（＊４）にそれぞれレシーバ空気圧が一時的に低下する様子を示している。
【００２４】
また、レシーバに貯留するために送風を分岐するのは１台の送風機（ここでは、３号送風機）に限定するものではなく、１号から３号の送風機からそれぞれ均等に分岐するようにしてもよい。この場合、各送風機で必要とする送風余力を更に小さくすることができるのである。
【実施例】
【００２５】
１高炉から３高炉の３基の高炉で操業を行うに際し、従来は、熱風炉充圧を見込んで各送風機の送風能力を高炉への定常送風の120％程度としていた。そのため、非常に大きなコストアップの要因となっていた。
【００２６】
一方、設備更新にあたって本発明を適用し、１号と２号の送風機の送風能力を高炉への定常送風に見合ったものに見直した。また、配管系を更新するとともに、共通設備となる昇圧機とレシーバを新設し、レシーバへの空気の貯留に対応するため、３号送風機の送風能力を高炉への定常送風の５％増しとした。
【００２７】
今回の設備更新では、昇圧機とレシーバを新設したものの、大きな送風能力を必要とする送風機のコストを大幅に抑えることができ、トータルとして従来の20％減程度の費用で設備更新を行うことができ、大幅に設備投資を抑制することができた。
【図面の簡単な説明】
【００２８】
【図１】本発明の高炉送風における熱風炉充圧装置の構成を示す模式図である。
【図２】本発明の高炉送風における熱風炉充圧方法における各送風機の風量の推移とレシーバ空気圧の変動を模式的に示すグラフである。
【図３】従来の高炉送風機の配置を示す模式図である。
【図４】従来の高炉送風機の風量の推移を模式的に示すグラフである。
【符号の説明】
【００２９】
１〜３    高炉
1a〜3a    熱風炉
５    昇圧機
６    レシーバ
７〜９    充圧用弁
11〜13    送風機
【図１】
2005179713.tif 000003
【図２】
2005179713.tif 000004
【図３】
2005179713.tif 000005
【図４】
2005179713.tif 000006